(57)【特許請求の範囲】
【請求項１】
静電潜像が形成される像保持体の循環移動の方向と交わる方向に光が通過する空間部と，
前記像保持体の長手方向に沿って設けられ，前記空間部の少なくとも一部を囲み，通過する一部の光を反射させる凸部が，前記像保持体の循環移動の方向と交わる方向に沿って複数設けられている透光性の導光体部と，
前記像保持体の長手方向に沿って前記導光体部を覆い、前記導光体部に光を入射するための光入射面と、前記像保持体に近接する対向面で開口し，光を反射させるための反射部と，
を有し，
前記像保持体の長手方向に沿って配置され，前記像保持体に前記導光体部を通過した光を照射させる
光照射体。
【請求項２】
前記導光体部は，筒状であり，
前記凸部は，導光体部の外周に設けられている
請求項１に記載の光照射体。
【請求項３】
前記導光体部は，筒状であり，
前記凸部は，導光体部の内周に設けられている
請求項１または２記載の光照射体。
【請求項４】
前記凸部は，前記導光体部において光が入る端部側より当該端部の他端側に多く設けられている
請求項１乃至３のいずれかに記載の光照射体。
【請求項５】
前記凸部には，前記導光体部の長手方向に交わる方向に沿って反射溝が設けられている
請求項１乃至４のいずれかに記載の光照射体。
【請求項６】
前記反射溝は，前記凸部に近いほど多く設けられている
請求項５に記載の光照射体。
【請求項７】
前記導光体部は，アクリル樹脂，ポリカーボネート樹脂，ポリスチレン樹脂及びＡＢＳ樹脂のいずれかから成る
請求項１乃至６のいずれかに記載の光照射体。
【請求項８】
前記反射部は，像保持体に対向する開口部に，突出する突起部を有する
請求項１乃至７に記載の光照射体。
【請求項９】
静電潜像が形成される像保持体と，
前記像保持体の循環移動の方向と交わる方向に光が通過する空間部と，前記像保持体の長手方向に沿って設けられ，前記空間部の少なくとも一部を囲み，通過する一部の光を反射させる凸部が，前記像保持体の循環移動の方向と交わる方向に沿って複数設けられている透光性の導光体部と，前記像保持体の長手方向に沿って前記導光体部を覆い、前記導光体部に光を入射するための光入射面と、前記像保持体に近接する対向面で開口し，光を反射させるための反射部とを含み，前記像保持体の長手方向に沿って配置され，前記像保持体に前記導光体部を通過した光を照射する光照射体と，
を有する像形成構造体。
【請求項１０】
発光部材と，
静電潜像が形成される像保持体と，
前記像保持体の循環移動の方向と交わる方向に前記発光部材から発せられた光が通過する空間部と，前記像保持体の長手方向に沿って設けられ，前記空間部の少なくとも一部を囲み，前記発光部材から発せられた光の一部を反射させる凸部が，前記像保持体の循環移動の方向と交わる方向に沿って複数設けられている透光性の導光体部と，前記像保持体の長手方向に沿って前記導光体部を覆い、前記導光体部に光を入射するための光入射面と、前記像保持体に近接する対向面で開口し，光を反射させるための反射部とを含み，前記像保持体の長手方向に沿って配置され，前記像保持体に前記導光体部を通過した光を照射する光照射体と，
を有する画像形成装置。
【発明の詳細な説明】
【技術分野】
【０００１】
本発明は，光照射体，像形成構造体及び画像形成装置に関する。
【背景技術】
【０００２】
この種の画像形成装置では，像保持体が帯電装置により帯電され，潜像が光書込み装置により形成され，潜像が現像装置により可視像化され，像保持体に形成された現像剤像が用紙に転写される。転写後の像保持体は，光除電装置により除電される。
【０００３】
特許文献１では，除電をするために感光体に光を照射する場合であっても，導光手段が画像形成装置本体からの光を利用して除電を行うプロセスカートリッジが開示されている。
特許文献２では，被照明面上に均一な照度で照射できる線状照明が可能な照明装置が開示されている。
【０００４】
特許文献３では，棒状の導光体の端部にＬＥＤランプを対向させ，前記導光体の側面に設けられた光放出部から光を放出して成るＬＥＤバー光源において，前記ＬＥＤランプは前記導光体の一方の端部にのみ対向する１個が設けられ，前記光放出部は前記ＬＥＤランプからの距離，および，前記導光体の他方の端部での前記ＬＥＤランプが反射して生じる写像からの距離を考慮した幅とされ，且つ，長手方向には略三角波状とされていることを特徴とするＬＥＤバー光源が開示されている。
【０００５】
特許文献４では，電子写真方式の画像形成装置に搭載され，光照射により感光体の残留電荷を除去する光除電器において，画像形成装置本体に設けられる点光源と，該画像形成装置本体に対して着脱可能なプロセスカートリッジに搭載され，該点光源からの入射光を該感光体へと導く光路を構成する導光体とを含む光除電器が開示されている。
【０００６】
特許文献５では，電子写真方式の画像形成装置において感光体の電荷を除電するのに用いられる光除電装置であって，前記感光体に対向して配置される導光体と，その導光体の光入射面に光を照射する光源とを有し，前記導光体には前記光源からの光を前記感光体に向けて反射する拡散反射面が形成されているとともに，当該導光体の後端面が光透過面となっており，その導光体の後端面の後方に反射面が配置されていることを特徴とする光除電装置が開示されている。
【０００７】
【特許文献１】特許第３６５２２４６号明細書
【特許文献２】特開平１０−１３３０２６号公報
【特許文献３】特開２００２−４４３７８号公報
【特許文献４】特開２００２−２７８３９５号公報
【特許文献５】特開２００６−１１３２１６号公報
【発明の開示】
【発明が解決しようとする課題】
【０００８】
本発明は，光の反射量を向上することができる光照射体，像形成構造体及び画像形成装置を提供することを目的とする。
【課題を解決するための手段】
【０００９】
請求項１に係る光照射体は，静電潜像が形成される像保持体の循環移動の方向と交わる方向に光が通過する空間部と，前記像保持体の長手方向に沿って設けられ，前記空間部の少なくとも一部を囲み，通過する一部の光を反射させる凸部が，前記像保持体の循環移動の方向と交わる方向に沿って複数設けられている透光性の導光体部と，前記像保持体の長手方向に沿って前記導光体部を覆い、前記導光体部に光を入射するための光入射面と、前記像保持体に近接する対向面で開口し，光を反射させるための反射部と，を有し，前記像保持体の長手方向に沿って配置され，前記像保持体に前記導光体部を通過した光を照射させる。
【００１１】
請求項２に係る光照射体においては，前記導光体部は，筒状であり，前記凸部は，導光体部の外周に設けられている。
【００１２】
請求項３に係る光照射体においては，前記導光体部は，筒状であり，前記凸部は，導光体部の内周に設けられている。
【００１３】
請求項４に係る光照射体においては，前記凸部は，前記導光体部において光が入る端部側より当該端部の他端側に多く設けられている。
【００１４】
請求項５に係る光照射体においては，前記凸部には，前記導光体部の長手方向に交わる方向に沿って反射溝が設けられている。
【００１５】
請求項６に係る光照射体においては，前記反射溝は，前記凸部に近いほど多く設けられている。
【００１６】
請求項７に係る光照射体においては，前記導光体部は，アクリル樹脂，ポリカーボネート樹脂，ポリスチレン樹脂及びＡＢＳ樹脂のいずれかから成る。
【００１８】
請求項８に係る光照射体においては，前記反射部は，像保持体に対向する開口部に，突出する突起部を有する。
【００１９】
請求項９に係る像形成構造体は，静電潜像が形成される像保持体と，前記像保持体の循環移動の方向と交わる方向に光が通過する空間部と，前記像保持体の長手方向に沿って設けられ，前記空間部の少なくとも一部を囲み，通過する一部の光を反射させる凸部が，前記像保持体の循環移動の方向と交わる方向に沿って複数設けられている透光性の導光体部と，前記像保持体の長手方向に沿って前記導光体部を覆い、前記導光体部に光を入射するための光入射面と、前記像保持体に近接する対向面で開口し，光を反射させるための反射部とを含み，前記像保持体の長手方向に沿って配置され，前記像保持体に前記導光体部を通過した光を照射する光照射体と，を有する。
【００２０】
請求項１０に係る画像形成装置は，発光部材と，静電潜像が形成される像保持体と，前記像保持体の循環移動の方向と交わる方向に前記発光部材から発せられた光が通過する空間部と，前記像保持体の長手方向に沿って設けられ，前記空間部の少なくとも一部を囲み，前記発光部材から発せられた光の一部を反射させる凸部が，前記像保持体の循環移動の方向と交わる方向に沿って複数設けられている透光性の導光体部と，前記像保持体の長手方向に沿って前記導光体部を覆い、前記導光体部に光を入射するための光入射面と、前記像保持体に近接する対向面で開口し，光を反射させるための反射部とを含み，前記像保持体の長手方向に沿って配置され，前記像保持体に前記導光体部を通過した光を照射する光照射体と，を有する。
【発明の効果】
【００２１】
請求項１に係る本発明によれば，光の反射量を向上することができる光照射体を提供することができる。
【００２３】
請求項２に係る本発明によれば，請求項１に係る本発明の効果に加えて，光が進む方向と交わるように導光体部の外側面に設けられた傾斜において，光の反射量を向上することができる。
【００２４】
請求項３に係る本発明によれば，請求項１または２に係る本発明の効果に加えて，光が進む方向と交わるように導光体部の内側面に設けられた傾斜において，光の反射量を向上することができる。
【００２５】
請求項４に係る本発明によれば，請求項１乃至３のいずれかに係る本発明の効果に加えて，導光体部において光量が低下し易い反開口側において，光の反射量を向上することができる。
【００２６】
請求項５に係る本発明によれば，請求項１乃至４のいずれかに係る本発明の効果に加えて，反射溝の界面において，光の反射量を向上することができる。
【００２７】
請求項６に係る本発明によれば，請求項５に係る本発明の効果に加えて，凸部付近において，光の反射量を向上することができる。
【００２８】
請求項７に係る本発明によれば，請求項１乃至６のいずれかに係る本発明の効果に加えて，導光体部の透光性を確保することができる。
【００３０】
請求項８に係る本発明によれば，請求項７に係る本発明の効果に加えて，導光体部が光照射体から脱落することを防ぐことができる。
【００３１】
請求項９に係る本発明によれば，光源から離れた位置においても，光量の低下を防ぐことができる像形成構造体を提供することができる。
【００３２】
請求項１０に係る本発明によれば，光源から離れた位置においても，光量の低下を防ぐことができる画像形成装置を提供することができる。
【発明を実施するための最良の形態】
【００３３】
まず，本発明の第１の実施形態を説明する。
図１は，本発明の実施形態に係る画像形成装置１０を示す図である。
図１に示すように，画像形成装置１０は，画像形成装置本体１２を有し，画像形成装置本体１２の下部には，給紙装置１４が配置されていると共に，画像形成装置本体１２の上部には排紙部１６が形成されている。
【００３４】
給紙装置１４は，用紙トレイ１８を有し，この用紙トレイ１８に多数の用紙が積層される。この用紙トレイ１８の一端上部には，フィードロール２０が配置されていると共に，このフィードロール２０に対向して捌きロール２２が設けられている。用紙トレイ１８の最上位にある用紙がフィードロール２０によりピックアップされ，フィードロール２０と捌きロール２２との協働により用紙が捌かれて搬送される。
【００３５】
用紙トレイ１８から搬送された用紙は，レジストローラ２４により一時停止され，所定のタイミングにより後述する像保持体ユニット２６と転写ユニット２８との間及び定着装置３０を通って排紙ローラ３２により排紙部１６へ排出される。
【００３６】
画像形成装置本体１２内には，画像形成装置本体１２に対して着脱可能に取り付けられた像保持体ユニット２６，転写ユニット２８，電源ユニット３４，トナーボックス５０，光書込み装置５６及び制御部３６が配置されている。制御部３６は，各構成要素を制御する。
【００３７】
像保持体ユニット２６には，例えば４つの像形成部６４（像形成構造体）が設けられている。像形成部６４には，像保持体４０が，循環移動するように回転自在に支持されている。像保持体４０は，後述する搬送ベルト６０又はこの搬送ベルト６０により搬送される用紙に転写される像を保持する。像保持体４０は，例えば，感光層を有する感光体からなる。像形成部６４において，像保持体４０の周囲には，像保持体４０を所定の極性に帯電する帯電ロールを備えた帯電装置４２，像保持体４０に形成された静電潜像を現像剤で現像する現像装置４４，転写後の像保持体４０を除電する光除電装置４６，及び転写がなされた後に像保持体４０に残留する現像剤を除去するクリーニング装置４８が設けられている。
【００３８】
トナーボックス５０は，像保持体ユニット２６の裏面側側方に接続されている。トナーボックス５０は，トナー供給部５４とトナー回収部５２とが一体になって構成されている。トナー供給部５４は，現像装置４４に接続されてトナーを現像装置４４に供給し，トナー回収部５２は，クリーニング装置４８に接続されて各色のトナーを回収する。トナーボックス５０は，例えば，マゼンダ，イエロー，シアン及び黒用である。
【００３９】
光書込み装置５６は，それぞれレーザー露光装置からなり，像保持体ユニット２６の背面側にあって各像保持体４０に対応した位置に配置され，一様に帯電された像保持体４０に対してレーザーを照射して潜像を形成するようになっている。
【００４０】
転写ユニット２８は，像保持体ユニット２６の表側にあって像保持体ユニット２６に対向して縦方向に配置されている。この転写ユニット２８においては，搬送ベルト６０が，上下方向に設けられた二つの支持ロール５８に掛けられている。搬送ベルトは，像又は用紙を搬送する。また，転写ロール６２が，搬送ベルト６０を挟んで対向して像保持体４０に設けられている。
【００４１】
したがって，各像保持体４０は，帯電装置４２により一様に帯電され，光書込み装置５６により静電潜像が形成され，現像装置４４により静電潜像がトナーにより可視像化される。各像保持体４０に形成されたトナー像は，転写ユニット２８の搬送ベルト６０により搬送される用紙に転写され，定着装置３０により用紙に定着される。転写後の像保持体４０は，光除電装置４６により除電される。
【００４２】
図２は，像保持体４０及び光除電装置４６を中心として像形成部６４を示す図である。
図２に示すように，光除電装置４６は，光照射体６８と，発光部材７０とを有する。
【００４３】
発光部材７０は，画像形成装置本体１２に設けられた光源であり，例えばＬＥＤ(Light Emitting Diode)である。発光部材７０は，光照射体６８の長手方向延長線上に位置し，発光部材７０と光照射体６８との距離は，例えば１〜３ｍｍである。発光部材７０は，矢印Ａで示すように，光照射体６８の長手方向端面に対して光を照射する。
【００４４】
光照射体６８は，像形成部本体６６に回転可能に支持された像保持体４０の長手方向に沿って，この像形成部本体６６に取り付けられている。光照射体６８は，矢印Ｂで示すように，発光部材７０から発せられた光を像保持体４０に一様に照射して，像保持体４０を除電する。
【００４５】
図３は，本実施形態に係る光照射体６８の側面断面図を中心として光除電装置４６を示す図である。
図４は，図３において破線で囲まれた部分の拡大図である。
図５は，発光部材７０側から見た光照射体６８の断面を示す図である。
【００４６】
図３〜図５に示すように，光照射体６８は，発光部材７０から発せられた光が像保持体４０の循環移動の方向と交わる方向に通過する空間部７８と，この空間部７８の少なくとも一部を囲み，空間部７８に隣接して設けられた透光性の導光体部７６と，反像保持体４０側に設けられた光を反射させるための反射部７２とを有する。空間部７８，導光体部７６及び反射部７２は，像保持体４０の長手方向に沿って設けられている。空間部７８は，導光体部７６の長手方向の一端に形成された開口８０に接続されている。
【００４７】
導光体部７６は，光が入る開口８０が長手方向端面に形成された筒状の形状を有する。導光体部７６は，例えば，アクリル樹脂，ポリカーボネート樹脂，ポリスチレン樹脂及びＡＢＳ樹脂のいずれかから成り，押出成形されている。導光体部７６の内径は，例えば３ｍｍであり，導光体部７６の外径は，例えば５ｍｍである。ここで，発光部材７０の外径は，導光体部７６の内径より大きいことが好ましく，例えば３ｍｍ以上であり，さらに好ましくは５ｍｍである。
【００４８】
導光体部７６は，光が入る開口８０側の端面が粗面化されて成る。導光体部７６の端面の粗さは，例えばＲｚ＝３〜１５μｍであり，好ましくは，Ｒｚ＝１５μｍ以上である。
【００４９】
より具体的には，導光体部７６は，所定の厚さαの筒状の導光体部本体８２，導光体部本体８２の外周に設けられた凸部８４，及び導光体部本体８２の内周に設けられた凸部８６を有する。凸部８４，８６は，像保持体４０の循環移動の方向と交わる方向に沿って，複数，設けられている。凸部８４，８６は，外周又は内周に沿って，略環状に形成されてもよいし，螺旋状に形成されてもよい。凸部８４，８６は，導光体部７６において光が入る端部を含む部分より当該端部の他端を含む部分に多く設けられている。即ち，凸部８４，８６は，開口８０側より後述する終端部７４側に多く設けられている。
【００５０】
なお，導光体部７６は，導光体部本体８２，凸部８４及び凸部８６と区分けして説明したが，導光体部本体８２，凸部８４及び凸部８６は一体的に形成されていてもよい。例えば，導光体部７６は，押し出し成形や引き出し成形によって成形される際に，引き抜き速度や押し出し速度等に変化をつけたり，振動を与えたりする等によって部分的に波打たせることで，外径及び内径に変化をつけて形成されてもよい。
【００５１】
反射部７２は，例えば白色樹脂で形成されたケースであり，導光体部７６の少なくとも一部を覆っている。より具体的には，反射部７２は，長手方向に沿って導光体部７６を覆っており，導光体部７６に光を入射するための光入射面，及び像保持体４０に近接する対向面で開口している。さらに，反射部７２は，導光体部７６の端部であって光が入る開口８０が形成された端部とは異なる端部を覆う終端部７４を有する。
【００５２】
したがって，図３の矢印で示すように，発光部材７０から照射された光は，光照射体６８の空間部７８又は導光体部７６の内部を通り，導光体部７６の導光体部本体８２及び凸部８４，８６の界面並びに反射部７２の少なくともいずれかにより反射及び拡散され，像保持体４０に照射する。
【００５３】
ここで，図３の矢印で示すように，空間部７８を通り凸部８６同士に挟まれた凹状の部分で反射された光の一部は，凹状の部分の近傍に滞ったり，発光部材７０側に戻る方向に反射される。このような光の反射が起こるために光の反射量が向上する。同様に図示されていないが，導光体部７６を通り凸部８４の導光体部７６内面で反射された光の一部も，凸部８４の導光体部７６内面に滞ったり，発光部材７０側に戻る方向に反射されるので，光の反射量が向上する。
【００５４】
さらに，図４の矢印で示すように，凸部８４近傍では，凸部８６同士に挟まれた凹状の部分の導光体部７６内面が，導光体部７６側から見ると凸状となっているので，この凸状の部分と凸部８４とで，導光体部７６の経路が湾曲した形状となる。これにより，光の滞りが多くなり，反射量が向上する。したがって，凸部８６同士に挟まれた凹状の部分で反射された光の一部，凸部８４の導光体部７６内面で反射された光の一部，及び導光体部７６の経路が湾曲した形状となることで滞る光によって，反射量が向上する。
【００５５】
光が空間部７８を通過すると，導光体部７６を通過する場合と比較して，光エネルギーの損失が少ない。したがって，空間部７８を通過する光は，光量の減衰が抑えられて，発光部材７０側から反発光部材７０側（終端部７４側）へと移動する。これにより，発光部材７０側から離れた箇所でも，像保持体４０に照射する光量を確保し易くなる。また，終端部７４が，反発光部材７０側の端部に設けられている場合，光は，終端部７４で反射し，戻りながら反射と透過を繰り広げる。これにより，終端部７４側から像保持体４０に照射する光量が増加する。
【００５６】
なお，図３に示される矢印は，導光体部７６及び反射部７２のいずれかの界面で光が反射又は透過していることを模式的に示す。したがって，図中の矢印は，入射角，反射角，屈折角の関係や全ての光の筋道を正確に表していない。実際には，図示した以上に無数の光が，反射又は透過している。
【００５７】
図６は，像保持体４０に対向する開口側から見た反射部７２を示す図である。
図６に示すように，反射部７２は，像保持体４０に対向する開口部に，突出する例えば爪形状又は凸形状の突起部８８を有する。突起部８８は，当該開口部に複数設けられている。開口部の一方に設けられた複数の突起部８８の先端を結ぶ直線と，他方に設けられた複数の突起部８８の先端を結ぶ直線との距離Ｌは，導光体部７６の直径より小さい。したがって，導光体部７６が，反射部７２に嵌め込まれた場合には，突起部８８が，導光体部７６を支持する。
【００５８】
なお，反射部７２は，設けられていなくてもよい。反射部７２が設けられていない場合，導光体部７６の外側表面が白色塗料等の光を反射し易い色の塗料で塗られた形態や，導光体部７６の外側表面に銀色のテープ等の光を反射し易い色のテープが貼られた形態が用いられてもよい。
【００５９】
図７は，像保持体４０に照射される光量と，発光部材７０側からの距離との関係を示す図である。
図７（ａ）は，特許文献１等に開示されている導光手段のように，長手方向と交わる方向に細かな凹凸形状が形成された導光手段により像保持体４０に照射される光量と発光部材７０側からの距離との関係を示し，図７（ｂ）は，本実施形態に係る光照射体６８により像保持体４０に照射される光量と発光部材７０側からの距離との関係を示す。なお，図７（ｂ）において，実線は，本実施形態に係る光照射体６８の場合を示し，一点鎖線は，凸部８４，８６が設けられていない場合を示す。
【００６０】
図７（ａ）に示される場合では，巨視的に見ると，発光部材７０側，反発光部材側（終端部７４側）及びその中間部において，光量の減衰は，図７（ｂ）に示される場合と比べて少ない。また，微視的に見ると，導光手段の長手方向と交わる方向に細かな凹凸形状が形成されているので，光量の強弱の差が，図７（ｂ）に示される場合と比べて大きく現れる。
【００６１】
一方，図７（ｂ）に示される場合では，巨視的に見ると，発光部材７０側から終端部７４側に向けて，光量の減衰が，図７（ａ）に示される場合と比べて大きい。また，光が終端部７４で反射するので，中間部から終端部７４側に向けて，光量が増している。微視的に見ると，光量の強弱の差は，表れない。さらに，図７（ｂ）に示すように，光量の減衰について，本実施形態に係る光照射体６８は，凸部８４，８６が設けられていない形態より少ない。
【００６２】
像保持体４０が経時劣化を起こした場合，光が強く照射した部位と光が弱く照射した部位とで，像保持体４０の帯電量に，差異が生じる。この場合，図７（ａ）に示される導光手段の形態では，ハーフトーン画像等の中間的な画像密度の画像が印刷される際，帯電量の差異が生じる部分が近接しているので，細かな線状濃淡画像が，人目につく画像欠陥として表れる。一方，図７（ｂ）に示される形態では，微視的な光の強弱の差がないため，ハーフトーン画像等の中間的な画像密度の画像が印刷される場合においても，細かな線状濃淡画像は表れず，人目につく画像欠陥とはならない。
【００６３】
さらに，図７（ａ）に示される導光手段は，一般的に型加工にて成型されるが，図７（ｂ）に示される導光体部７６は，引き抜き加工，押し出し加工等の簡易で低コストの加工で作られてもよい。導光体部７６がこのような加工で作られた場合においても，像保持体４０が経時劣化を起した際，光の強弱の差による細かな線状濃淡画像は表れない。
【００６４】
なお，像保持体４０を除電させる程度は，像保持体４０が適用された画像形成装置等の装置の事情で決まる。したがって，所望のレベル以上，除電させることができれば，その除電の程度や均一性は，除電という観点からは格別気にする必要はなく，適宜設定されるものである。像保持体４０の長手方向で所望のレベル以上の除電を行うためには，発光部材７０の大きさ，光量及び光強度等，光照射体６８の長さ，厚み，形状及び透明度等，像保持体４０の感度及び移動速度等，ならびに光照射体６８を構成する空間部７８，導光体部７６及び反射部７２それぞれの長さ，厚み，形状及び透明度等を，それぞれ設定すればよい。
【００６５】
次に，第２の実施形態〜第５の実施形態に係る画像形成装置１０を説明する。第２の実施形態〜第５の実施形態に係る画像形成装置１０では，光照射体６８の形態がそれぞれ異なる。
【００６６】
図８は，本発明の第２の実施形態に係る光照射体６８の側面断面図である。
図８に示すように，本実施形態に係る光照射体６８は，導光体部本体８２に凸部８４だけが設けられた導光体部７６を有する。即ち，凸部８６は，設けられていない。このため，導光体部７６の外側に，長手方向に沿って凹凸が設けられている。
【００６７】
図９は，本発明の第３の実施形態に係る光照射体６８の側面断面図である。
図９に示すように，本実施形態に係る光照射体６８は，導光体部本体８２に凸部８６だけが設けられた導光体部７６を有する。即ち，凸部８４は，設けられていない。このため，導光体部７６の内側に，長手方向に沿って凹凸が設けられている。
【００６８】
図１０は，本発明の第４の実施形態に係る光照射体６８の側面断面図の一部を拡大した図である。
図１０に示すように，本実施形態に係る光照射体６８は，凸部８４に反射溝９０が設けられた導光体部７６を有する。即ち，反射溝９０は，導光体部７６の外側に設けられている。反射溝９０は，導光体部７６の長手方向に交わる方向に沿って設けられている。反射溝９０は，略環状に設けられてもよいし，螺旋状に設けられてもよい。また，反射溝９０は，複数，設けられている。具体的には，凸部８４の先端に近いほど多く設けられている。反射溝９０の深さは，反射溝９０が導光体部本体８２に含まれない程度の値である。
【００６９】
なお，反射溝９０は，第２の実施形態に係る光照射体６８（図８）に設けられてもよい。また，反射溝９０は，図１０ではＶ字上に凹んだ目視可能な凹形状をなしているが，目視し難い細かな溝でもよい。例えば，反射溝９０は，ヤスリ等で傷をつける，粗い面の上に光照射体６８を転がして傷をつける等により，設けられてもよい。
【００７０】
図１１は，本発明の第５の実施形態に係る光照射体６８の側面断面図の一部を拡大した図である。
図１１に示すように，本実施形態に係る光照射体６８は，凸部８６に反射溝９２が設けられた導光体部７６を有する。即ち，反射溝９２は，導光体部７６の内側に設けられている。反射溝９２は，導光体部７６の長手方向に交わる方向に沿って設けられている。反射溝９２は，略環状に設けられてもよいし，螺旋状に設けられてもよい。また，反射溝９２は，複数，設けられている。具体的には，凸部８６の先端に近いほど多く設けられている。反射溝９２の深さは，反射溝９２が導光体部本体８２に含まれない程度の値である。なお，反射溝９２は，第１の実施形態に係る光照射体６８（図４），第５の実施形態に係る光照射体６８（図１０）に設けられてもよい。
【図面の簡単な説明】
【００７１】
【図１】本発明の実施形態に係る画像形成装置１０を示す図である。
【図２】像保持体４０及び光除電装置４６を中心として像形成部６４を示す図である。
【図３】本発明の第１の実施形態に係る光照射体６８の側面断面図を中心として光除電装置４６を示す図である。
【図４】図３において破線で囲まれた部分の拡大図である。
【図５】発光部材７０側から見た光照射体６８の断面を示す図である。
【図６】像保持体４０に対向する開口側から見た反射部７２を示す図である。
【図７】像保持体４０に照射される光量と，発光部材７０側からの距離との関係を示す図である。
【図８】本発明の第２の実施形態に係る光照射体６８の側面断面図である。
【図９】本発明の第３の実施形態に係る光照射体６８の側面断面図である。
【図１０】本発明の第４の実施形態に係る光照射体６８の側面断面図の一部を拡大した図である。
【図１１】本発明の第５の実施形態に係る光照射体６８の側面断面図の一部を拡大した図である。
【符号の説明】
【００７２】
１０ 画像形成装置
２６ 像保持体ユニット
４０ 像保持体
４６ 光除電装置
６４ 像形成部
６６ 像形成部本体
６８ 光照射体
７０ 発光部材
７２ 反射部
７４ 終端部
７６ 導光体部
７８ 空間部
８０ 開口
８２ 導光体部本体
８４，８６ 凸部
８８ 突起部
９０，９２ 反射溝
【図１】
0005257654.tif 000002
【図２】
0005257654.tif 000003
【図３】
0005257654.tif 000004
【図４】
0005257654.tif 000005
【図５】
0005257654.tif 000006
【図６】
0005257654.tif 000007
【図７】
0005257654.tif 000008
【図８】
0005257654.tif 000009
【図９】
0005257654.tif 000010
【図１０】
0005257654.tif 000011
【図１１】
0005257654.tif 000012